(57)【要約】【課題】側突時に突出部から乗員に付加される衝撃を低減しつつ、安全性を高めることが可能な車両用内装材を提供する【解決手段】車両のパネル（２）に対向して配置される車両用内装材（１）であって、前記パネル（２）に対向する対向壁部（１２）と、前記対向壁部（１２）の側縁から前記パネルに向かって延出する側壁部（１３）と、を備え、前記対向壁部（１２）と前記側壁部（１３）には開口部（１０Ａ）が設けられ、前記開口部（１０Ａ）は、前記対向壁部（１２）と前記側壁部（１３）に亘って連なることに特徴を有する。【選択図】図３
2018024329.tif 000002
【特許請求の範囲】
【請求項１】
車両のパネルに対向して配置される車両用内装材であって、
前記パネルに対向する対向壁部と、
前記対向壁部の側縁から前記パネルに向かって延出する側壁部と、を備え
前記対向壁部と前記側壁部には開口部が設けられ、
前記開口部は、前記対向壁部と前記側壁部に亘って連なる車両用内装材。
【請求項２】
前記側壁部に設けられた開口部は、鋭角の角部を有する請求項１に記載の車両用内装材。
【請求項３】
前記対向壁部は、前記開口部の上側に位置する第１対向壁部と、前記開口部の下側に位置する第２対向壁部を有し、
前記第１対向壁部は、前記第２対向壁部よりも車両室内側に位置し、
前記第１対向壁部の下端縁が前記開口部の上端をなしている請求項１または２に記載の車両用内装材。
【請求項４】
前記第１対向壁部の下端と前記第２対向壁部の上端に架橋された架橋部を更に有する請求項３に記載の車両用内装材。
【請求項５】
前記開口部を塞ぐ被覆部材を更に備え、
前記被覆部材は、前記架橋部に対して固定される請求項４に記載の車両用内装材。
【請求項６】
前記第１対向壁部は、アームレストの一部を構成する請求項３から５のいずれか一項に記載の車両用内装材。
【発明の詳細な説明】
【技術分野】
【０００１】
本明細書によって開示される技術は、車両用内装材に関する。
【背景技術】
【０００２】
従来、アームレストを備えた車両用内装材の側突時衝撃吸収構造として、下記特許文献１に記載のものが知られている。
【先行技術文献】
【特許文献】
【０００３】
【特許文献１】特開２０１０−１２６０５０号公報
【発明の概要】
【発明が解決しようとする課題】
【０００４】
上記側突時衝撃吸収構造は、突出部（アームレスト）の下面に添装する屈曲プレートを備え、側突時に屈曲プレートが上方に屈曲変形することで衝撃荷重を吸収するとともに、突出部を上方に跳ね上げ、ドアトリム本体から突出部を離脱させることで、衝撃を吸収するようにしている。そのため、離脱した突出部が飛散する可能性があり、安全性に対する懸念があった。
【０００５】
本明細書によって開示される技術は、上記のような事情に基づいて完成されたものであって、側突時に突出部から乗員に付加される衝撃を低減しつつ、安全性を高めることが可能な車両用内装材を提供することを目的とする。
【課題を解決するための手段】
【０００６】
本明細書によって開示される車両用内装材は、車両のパネルに対向して配置される車両用内装材であって、前記パネルに対向する対向壁部と、前記対向壁部の側縁から前記パネルに向かって延出する側壁部と、を備え、前記対向壁部と前記側壁部には開口部が設けられ、前記開口部は、前記対向壁部と前記側壁部に亘って連なることに特徴を有する。
【０００７】
本明細書によって開示される車両用内装材によれば、側突時、車両用内装材がパネルに押圧され、乗員に当たることで側壁部に荷重が作用した場合、対向壁部に設けられた開口部に連なる側壁部の開口部の開口縁に応力が集中するため、側壁部の開口縁付近に亀裂が生じ易くなり、亀裂により側壁部および対向壁部が変形し、対向壁部から乗員に付加される衝撃を低減させることができる。
【０００８】
また、側突時に側壁部に亀裂を生じさせることにより、対向壁部は変形しても、その飛散の可能性を低下させることができ、車両用内装材の安全性を高めることができる。
【０００９】
また、前記側壁部に設けられた開口部は、鋭角の角部を有するものとすることができる。
【００１０】
側壁部における開口部を鋭角の角部を有する構成とすることで、応力は更に角部に集中し易くなり、より確実に側壁部に亀裂を生じさせることができる。これにより、乗員に付加される衝撃をより確実に低減させることができるとともに、車両用内装材の安全性をより高めることができる。
【００１１】
また、前記対向壁部は、前記開口部の上側に位置する第１対向壁部と、前記開口部の下側に位置する第２対向壁部を有し、前記第１対向壁部は、前記第２対向壁部よりも車両室内側に位置し、前記第１対向壁部の下端縁が前記開口部の上端をなすものとすることができる。
【００１２】
第１対向壁部が第２対向壁部よりも車両室内側に位置されることで、側突時、第１対向壁部が乗員に衝突し易くなる。そこで、第１対向壁部の下端縁が前記開口部の上端をなすように、つまり、第１対向壁部の直下に開口部を設けることにより、側突時に側壁部に亀裂が生じた場合、第１対向壁部がより変形し易くなり、乗員に付加される衝撃をより低減させることができる。
【００１３】
また、前記車両用内装材は、前記第１対向壁部の下端と前記第２対向壁部の上端に架橋された架橋部を更に有するものとすることができる。
【００１４】
架橋部が対向壁開口部を架橋する形で設けられることによって、通常時の車両用内装材の剛性を高めることができる。
【００１５】
また、前記車両用内装材は、前記開口部を塞ぐ被覆部材を更に備え、前記被覆部材は、前記架橋部に対して固定されるものとすることができる。
【００１６】
開口部を被覆部材で塞ぐことにより、車両用内装材の意匠性を高めることができるとともに、通常時の車両用内装材の剛性を高めることができる。また、仮に、側突時の衝撃により、架橋部が破断するようなことがあった場合でも、架橋部の飛散を抑制することができ、車両用内装材の安全性をより高めることができる。
【００１７】
また、前記第１対向壁部は、アームレストの一部を構成するものとすることができる。
【００１８】
第１対向壁部がアームレストの一部を構成する場合、第１対向壁部が車両用内装材において最も車両室内側、つまり、乗員の近くに配されている可能性が高く、側突時、車両用内装材の他の部分に比べ、第１対向壁部、つまり、アームレストが乗員に衝突する可能性が高い。ここで、開口部は第１対向壁部、つまり、アームレストの直下に設けられているので、側突時に側壁部に亀裂が生じた場合、アームレストが変形し易く、アームレストから乗員に付加される衝撃を低減させることができる。
【発明の効果】
【００１９】
本明細書によって開示される車両用内装材によれば、側突時に突出部から乗員に付加される衝撃を低減しつつ、安全性を高めることができる。
【図面の簡単な説明】
【００２０】
【図１】一実施形態に係る車両用ドアトリムを示す正面図
【図２】図１の車両用ドアトリムを示す側面図
【図３】図１の車両用ドアトリムについて被覆部材を取り外した状態を示す斜視図
【図４】車両用ドアトリムの開口部及びその周辺部分を示す部分拡大図
【発明を実施するための形態】
【００２１】
一実施形態を図１ないし図４によって説明する。車両用内装材の一例である車両用ドアトリム１は、ドアパネルを構成するドアインナパネル２（図４参照）に取り付けられることで車両ドアを構成するものである。
【００２２】
車両用ドアトリム１は、図１に示すように、トリム本体部１０とアームレスト２０とを備えている。トリム本体部１０はポリプロピレン等の合成樹脂材料などによって構成された板状部材とされる。アームレスト２０は、ポリプロピレン等の合成樹脂材料などによって構成され、トリム本体部１０から車両室内側に突出し、車両前後方向に延びる長手状をなし、車両上下方向の位置が、シートに着座した乗員の腰の位置と対応するように配されている。なお、トリム本体部１０及びアームレスト２０に使用する材料は、合成樹脂材料に限定されず、例えば、木質系材料（例えば、ケナフ、ヘンプ、フラックス、サイザルなど）と合成樹脂を混合したものなどを用いてもよい。
【００２３】
トリム本体部１０は、図３に示すように、ドアインナパネル２に対向する対向壁部１２と、側壁部１３と、を備えている。また、対向壁部１２と側壁部１３に亘って連なるトリム開口部１０Ａを有している。
【００２４】
アームレスト２０は、図３に示すように、車室内側に突出する形状をなし、車両上下方向の位置が、シートに着座した乗員の腰の位置と対応するように配されている。アームレスト２０は、スイッチパネル取付部２０Ａ、肘掛部２０Ｂ、及びアームレスト下側壁部２０Ｃを備えている。
【００２５】
スイッチパネル取付部２０Ａは、スイッチパネルを取り付けるための部位であり、アームレスト２０前方上部を構成する。
【００２６】
肘掛部２０Ｂは、スイッチパネル取付部２０Ａに対し車両後方に設けられ、アームレスト２０の後方上部を構成する。肘掛部２０Ｂは、乗員が肘を掛けられるような長さと幅を有するとともに、ドアインナパネル２に対向する壁部がアームレスト下側壁部２０Ｃに連なるように形成されている。乗員は、肘を掛けた状態でスイッチパネルを操作することができる。
【００２７】
アームレスト下側壁部２０Ｃは、スイッチパネル取付部２０Ａ及び肘掛部２０Ｂの下方に設けられたドアインナパネル２と対向する壁部であり、アームレスト２０の下部を構成する。
【００２８】
対向壁部１２は、ドアインナパネル２と対向する形で配されている。図３に示すように、対向壁部１２は、上記アームレスト下側壁部２０Ｃ（第１対向壁部）と、トリム下側壁部１１（第２対向壁部）と、からなる。トリム下側壁部１１は、アームレスト下側壁部２０Ｃの下方に配されたドアインナパネル２と対向する壁部であり、車両用ドアトリム１の下側後部を構成する。アームレスト下側壁部２０Ｃは、トリム下側壁部１１よりも車両室内側に位置するよう設けられている。
【００２９】
また、対向壁部１２には、アームレスト下側壁部２０Ｃとトリム下側壁部１１との間において、車両前後方向に延びる対向壁開口部１２Ａが形成されている。アームレスト下側壁部２０Ｃが対向壁開口部１２Ａの上側に位置し、トリム下側壁部１１が対向壁開口部１２Ａの下側に位置している。アームレスト下側壁部２０Ｃの下端縁が対向壁開口部１２Ａの上端を、トリム下側壁部１１の上端縁が対向壁開口部１２Ａの下端をなしている。
【００３０】
側壁部１３は、図１から図４に示すように、アームレスト下側壁部２０Ｃ及びトリム下側壁部１１の側縁（後端縁）からドアインナパネル２に向かって延出し、車両上下方向に延伸する壁部である。
【００３１】
側壁部１３のうち、対向壁開口部１２Ａに車両上下方向に対応する位置には、対向壁開口部１２Ａと連なる切欠き状の側壁開口部１３Ａが形成され、対向壁開口部１２Ａと側壁開口部１３Ａとが車両用ドアトリム１のトリム開口部１０Ａを形成している。
【００３２】
側壁開口部１３Ａの開口縁は、第１開口辺部１３Ｂと、第２開口辺部１３Ｃと、を有している。第１開口辺部１３Ｂは、対向壁開口部１２Ａの上端縁から連なり、ドアインナパネル２に向かって略水平に延びている。第２開口辺部１３Ｃは、対向壁開口部１２Ａの下端縁から連なり、第１開口辺部１３Ｂのドアインナパネル２側の端部に繋がっている。第１開口辺部１３Ｂと第２開口辺部１３Ｃが鋭角の角部１３Ｄを形成している。
【００３３】
車両用ドアトリム１は、図３に示すように、対向壁開口部１２Ａ及び側壁開口部１３Ａを塞ぐ被覆部材３０及び被覆部材３０を取り付けるための被覆部材取付部１４（架橋部）を更に備えている。
【００３４】
被覆部材取付部１４は、対向壁開口部１２Ａを架橋する形で、アームレスト下側壁部２０Ｃの下端及びトリム下側壁部１１の上端に連なる板状をなしており、被覆部材３０を取り付けるための被覆部材取付孔１４Ａを有している。
【００３５】
被覆部材３０は、図３に示すように、対向壁開口部１２Ａを塞ぐ対向壁開口被覆部３０Ａ、側壁開口部１３Ａを塞ぐ側壁開口被覆部３０Ｂ、及び被覆部材取付孔１４Ａに挿通する取付突部３０Ｃを備えている。被覆部材３０は、取付突部３０Ｃを被覆部材取付孔１４Ａに挿通させて、被覆部材取付部１４に取り付けられている。対向壁開口被覆部３０Ａは対向壁開口部１２Ａに、側壁開口被覆部３０Ｂは側壁開口部１３Ａに倣った形状をなし、それぞれ対向壁開口部１２Ａ及び側壁開口部１３Ａに嵌合している。なお、取付突部３０Ｃの先端部は、熱カシメやビスなどの締結手段によって被覆部材取付部１４に締結される。
【００３６】
次に本実施形態の作用及び効果について説明する。ここでは、車両の側突時において、車両用ドアトリム１がドアインナパネル２に押圧された場合の効果及び通常時の効果について説明を行う。
【００３７】
側突時、車両用ドアトリム１がドアインナパネル２に押圧され、乗員に当たることで側壁部１３に荷重が作用する。ここで、側壁部１３には、対向壁部１２に設けられた対向壁開口部１２Ａに連なる側壁開口部１３Ａが設けられているため、側壁部１３の第１開口辺部１３Ｂと第２開口辺部１３Ｃ付近に応力が集中する。これにより、側壁部１３の第１開口辺部１３Ｂと第２開口辺部１３Ｃ付近に亀裂が生じ易くなり、亀裂によりアームレスト２０が変形し、アームレスト２０から乗員に付加される衝撃を低減させることができる。また、側突時に側壁部１３に亀裂を生じさせることにより、アームレスト２０の飛散を抑制することができ、車両用ドアトリム１の安全性を高めることができる。
【００３８】
また、側壁開口部１３Ａを鋭角の角部１３Ｄを有する構成とすることで、応力は更に角部１３Ｄ付近に集中し易くなり、より確実に側壁部１３に亀裂を生じさせることができる。これにより、乗員に付加される衝撃をより確実に低減させることができるとともに、車両用ドアトリム１の安全性をより高めることができる。
【００３９】
また、アームレスト下側壁部２０Ｃをトリム下側壁部１１よりも車両室内側に位置するよう設けることにより、肘掛部２０Ｂの幅をより大きくすることができる。つまり、アームレスト２０は、より車両室内側に突出し、乗員がより快適に肘掛部２０Ｂに肘を掛けることができる構成となっている。
【００４０】
ところが、アームレスト２０をより車両室内側に突出させると、側突時にアームレスト下側壁部２０Ｃが乗員に衝突し易くなる。そのため、本実施形態では、アームレスト下側壁部２０Ｃの下端縁が対向壁開口部１２Ａの上端をなすように、つまり、アームレスト２０の直下に対向壁開口部１２Ａおよびそれに連なる側壁開口部１３Ａ（トリム開口部１０Ａ）を設けることにより、側突時に、アームレスト下側壁部２０Ｃの下端縁から連なる第１開口辺部１３Ｂ及び角部１３Ｄに応力が集中するようにしている。
【００４１】
このような構成によれば、側壁部１３に亀裂が生じた際、アームレスト下側壁部２０Ｃ、しいてはアームレスト２０がより変形し易くなり、肘掛部２０Ｂの幅を確保しつつ、側突時に乗員に付加される衝撃を低減させることができる。また、アームレスト２０の突出量（肘掛部２０Ｂの幅）によらず、衝撃吸収性を確保することができ、アームレスト２０の設計における自由度を高めることができる。
【００４２】
上記被覆部材取付部１４は、被覆部材３０の固定を可能にするとともに、対向壁開口部１２Ａを架橋する形で設けられることによって、通常時の車両用ドアトリム１の剛性を高めることができる。
【００４３】
被覆部材３０で対向壁開口部１２Ａ及び側壁開口部１３Ａを塞ぐことにより、車両用ドアトリム１の意匠性を高めることができる。また、対向壁開口被覆部３０Ａを対向壁開口部１２Ａに、側壁開口被覆部３０Ｂを側壁開口部１３Ａに嵌合する構成とすることで、より意匠性を高めることができる。
【００４４】
また、被覆部材３０は、トリム開口部１０Ａに嵌合することで、通常時の車両用ドアトリム１の剛性を高めることができる。
【００４５】
また、被覆部材３０は、仮に、側突時の衝撃により、被覆部材取付部１４が破断するようなことがあった場合でも、被覆部材取付部１４の飛散を抑制することができ、車両用ドアトリム１の安全性をより高めることができる。
【００４６】
本実施形態では、アームレスト２０が車両室内側に最も突出した部分となっており、側突時においては、他の部分に比べ、アームレスト２０が乗員に衝突する可能性が高い。本実施形態では、対向壁開口部１２Ａ及びそれに連なる側壁開口部１３Ａがアームレスト２０の直下に設けられているので、側突時に側壁部１３に亀裂が生じた場合、アームレスト２０が変形し易く、アームレスト２０から乗員に付加される衝撃を低減させることができる。
【００４７】
＜他の実施形態＞
本明細書によって開示される技術の範囲は、上記記述及び図面によって説明した実施形態に限定されるものではなく、例えば次のような実施形態も本明細書によって開示される技術の範囲に含まれる。
【００４８】
（１）上記実施形態では、車両用内装材として、車両用ドアトリム１を例示したが、これに限定されない。例えば、車両用内装材は、ドアパネル以外のサイドパネルに対向する車両用トリムであってもよい。
【００４９】
（２）上記実施形態では、車室内側に膨出する突出部として、アームレスト２０を例示したが、これに限定されない。一般に、車両用ドアトリムにおいて、アームレストは車室内側に最も突出する部分（最も乗員の近くまで突出する部分）であることが多い。このため、アームレストに本明細書によって開示される技術を適用すると特に好適である。また、アームレスト２０の肘掛部２０Ｂは、アームレスト下側壁部２０Ｃと一体的に形成されていてもよい。
【００５０】
（３）角部１３Ｄの位置は、上記実施形態の位置に限定されない。例えば、側壁部１３に設けられる切込み状の開口部は、対向壁開口部１２Ａの下端縁から連なり、ドアインナパネル２に向かって略水平に延びる開口辺部と、対向壁開口部１２Ａの上端縁から連なり、上記開口辺部のドアインナパネル２側の端部に繋がる開口辺部を有し、両開口辺部が鋭角の角部を形成していてもよい。
【００５１】
（４）上記実施形態では、側壁部１３に設けられる開口部は、少なくとも一方の開口辺部がドアインナパネル２に向かって略水平に延びるように形成されているが、二つの開口辺部によって形成される角部が鋭角であれば、略水平でなくてもよい。
【００５２】
（５）上記実施形態では、対向壁開口部１２Ａをアームレスト下側壁部２０Ｃの直下に設けたが、アームレスト下側壁部２０Ｃに近接した位置であれば、必ずしも直下でなくてもよい。例えば、トリム下側壁部１１のアームレスト下側壁部２０Ｃの下端縁に隣接する部分に対向壁開口部を設け、トリム下側壁部１１の上端縁とアームレスト下側壁部２０Ｃの下端縁とが接続した構成としてもよい。
【００５３】
（６）被覆部材取付部１４は１つに限定されず、対向壁開口部１２Ａの長手方向に沿って、複数の被覆部材取付部が間隔を空けて設けられていてもよい。
【００５４】
（７）被覆部材３０の形状は、上記実施形態の形状に限定されない。トリム開口部１０Ａを覆うことができるのであれば、トリム開口部１０Ａに嵌合していなくてもよく、トリム開口部１０Ａに倣った形状でなくてもよい。
【符号の説明】
【００５５】
１…車両用ドアトリム（車両用内装材）、２…ドアインナパネル（パネル）、１０…トリム本体部、１０Ａ…トリム開口部、１１…トリム下側壁部（第２対向壁部）、１２…対向壁部、１２Ａ…対向壁開口部、１３…側壁部、１３Ａ…側壁開口部、１３Ｂ…第１開口辺部、１３Ｃ…第２開口辺部、１３Ｄ…角部、１４…被覆部材取付部（架橋部）、２０…アームレスト（突出部）、２０Ｃ…アームレスト下側壁部（第１対向壁部）、３０…被覆部材
【図１】
2018024329.tif 000003
【図２】
2018024329.tif 000004
【図３】
2018024329.tif 000005
【図４】
2018024329.tif 000006